(57)【要約】【課題】パネルに取り付けられるコネクタのシール性を確保する。【解決手段】パネルＰに取り付けられる雄ハウジング１０に嵌合可能な雌ハウジング２０は、端子金具２９を収容可能な端子収容部２１と、この端子収容部２１の外周から全周に沿って張り出し形成されてパネルＰとほぼ平行に対面する鍔部２２とを備える。鍔部２２には、パネルＰとの間に介在してパネルＰに密着可能なグロメット２３が被着されるとともに、端子収容部２１の周りを取り囲むようにして突部４０が設けられている。【選択図】  図５
2004171920.tif 000002
【特許請求の範囲】
【請求項１】
パネルに取り付けられる待受け側コネクタハウジングと、この待受け側コネクタハウジングに嵌合可能な組付け側コネクタハウジングとから構成され、前記組付け側コネクタハウジングは、端子金具を収容可能な端子収容部と、この端子収容部の外周から全周に沿って張り出し形成されて前記パネルとほぼ平行に対面する鍔部とを備え、この鍔部には、前記パネルとの間に介在して前記パネルに密着可能なグロメットが被着されるようになっているコネクタにおいて、
前記鍔部には、前記端子収容部の周りを連続的または断続的に取り囲むようにして突部が設けられていることを特徴とするコネクタ。
【請求項２】
前記突部は、前記鍔部において前記パネルと対向する面のうち前記グロメットが被る領域の内周側に配されていることを特徴とする請求項１に記載のコネクタ。
【請求項３】
前記鍔部は、縦横の寸法を異にして形成されており、前記突部は、前記端子収容部の周りに環状に配された環状部と、この環状部内において前記鍔部の長辺側の領域を幅方向に横切って配された横断部とからなっていることを特徴とする請求項１または２に記載のコネクタ。
【発明の詳細な説明】
【０００１】
【発明の属する技術分野】
本発明は、パネルに取り付けられるコネクタに関する。
【０００２】
【従来の技術】
従来、この種のコネクタは、図９に示すように、パネル１に取り付けられる待受け側の雄ハウジング２と、この雄ハウジング２に嵌合される組付け側の雌ハウジング３とから構成されていた。雌ハウジング３は、外周形状が縦長の長方形をなす端子収容部４と、この端子収容部４の後端から外向きに張り出し形成されてパネル１と平行に対面する鍔５とを備えていた。端子収容部４の内部には、雌端子金具（図示せず）が収容されており、端子収容部４の後面には電線６が引き出されて後方へ延出されていた。また、雌ハウジング３には、その後方よりグロメット７が被せられ、このグロメット７は、鍔５の外縁部に係止されるとともに、その先端開口縁がラッパ状に拡開して、パネル１に密着してシールされるように設定されていた。このコネクタは、以下の特許文献１に開示されている。
【０００３】
【特許文献１】
実開平４−２９１８６号公報
【０００４】
【発明が解決しようとする課題】
ところが、前記従来のコネクタは、成形後の熱収縮とか使用時に外力を受けて、鍔５にうねりや反りを生じさせることがあった。そうすると、鍔５は、その平面性が確保されず、パネル１に平行に対面できなくなるため、このような鍔５にグロメット７を被着した場合には、グロメット７の先端開口縁がパネル１に確実に密着されずシール性が損なわれる懸念があった。
本発明は上記のような事情に基づいて完成されたものであって、パネルに取り付けられるコネクタのシール性を確保することを目的とする。
【０００５】
【課題を解決するための手段】
上記の目的を達成するための手段として、請求項１の発明は、パネルに取り付けられる待受け側コネクタハウジングと、この待受け側コネクタハウジングに嵌合可能な組付け側コネクタハウジングとから構成され、前記組付け側コネクタハウジングは、端子金具を収容可能な端子収容部と、この端子収容部の外周から全周に沿って張り出し形成されて前記パネルとほぼ平行に対面する鍔部とを備え、この鍔部には、前記パネルとの間に介在して前記パネルに密着可能なグロメットが被着されるようになっているコネクタにおいて、前記鍔部には、前記端子収容部の周りを連続的または断続的に取り囲むようにして突部が設けられている構成としたところに特徴を有する。
【０００６】
請求項２の発明は、請求項１に記載のものにおいて、前記突部は、前記鍔部において前記パネルと対向する面のうち前記グロメットが被る領域の内周側に配されているところに特徴を有する。
【０００７】
請求項３の発明は、請求項１または２に記載のものにおいて、前記鍔部は、縦横の寸法を異にして形成されており、前記突部は、前記端子収容部の周りに環状に配された環状部と、この環状部内において前記鍔部の長辺側の領域を幅方向に横切って配された横断部とからなっているところに特徴を有する。
【０００８】
【発明の作用及び効果】
＜請求項１の発明＞
鍔部には、端子収容部の周りを連続的または断続的に取り囲むようにして突部が設けられているため、鍔部は、この突部により補強されて成形後の熱収縮や使用時に外力を受けても、うねりや反りの発生が抑えられる。したがって、鍔部は、その平面性が保たれるため、パネルとほぼ平行に対面する状態が保障されるようになる。このような鍔部にグロメットが被着されると、グロメットは、パネルに対して確実に密着されるため、そのシール性が確保される。
【０００９】
＜請求項２の発明＞
突部は、鍔部においてパネルと対向する面のうちグロメットが被る領域の内周側に配されているため、グロメットとの干渉を避けることができる。その結果、グロメットは、突部に乗り上げて隙間を生じさせたりすることがないため、鍔部に強固に被着される。
【００１０】
＜請求項３の発明＞
鍔部が縦横の寸法を異にして形成されている場合には、その長辺側の領域にうねりや反りの発生が懸念されるところであるが、本発明においては、鍔部の長辺側の領域を幅方向に横切って横断部が配されているため、そのようなうねりや反りの発生が確実に抑えられる。
【００１１】
【発明の実施の形態】
以下、本発明の一実施の形態を図１ないし図８によって説明する。
このコネクタは、図６に示すように、自動車のドア部のパネルＰに取り付けられる待受け側の雄ハウジング１０（本発明の待受け側コネクタハウジング）と、この雄ハウジング１０と嵌合可能な組付け側の雌ハウジング２０（本発明の組付け側コネクタハウジング）とから構成されている。なお、以下においては、雌雄の両ハウジング１０，２０の嵌合面側を前面側とする。
【００１２】
まず、雄ハウジング１０について説明すると、雄ハウジング１０は、図６に示すように、内側に複数室のキャビティ１３を設けつつ外周を縦長の略長方形状とした本体部１１と、この本体部１１の前方に突出形成された縦長角筒状のフード１２とを備えている。本体部１１のキャビティ１３内には、雄端子金具１４が収容可能とされており、これら雄端子金具１４の先端部は、フード１２内に突出した状態で配されている。
また、雄ハウジング１０は、パネルＰに開口形成された取付口ＰＡにパネル後面側より嵌め込まれ、上下一対の係止爪１５によってパネルＰに係止される。係止爪１５は、図１に示すように、パネルＰを厚み方向に挟持可能な爪を備え、フード１２の上下壁１２Ａ，１２Ｂにおける幅方向の中央位置にて弾性片１６の先端側に形成されている。フード１２の上壁１２Ａにおいて係止爪１５の撓み方向と対応する位置には、フード１２の開口縁を構成しつつ後述するロック部３１と係合可能なロック受け部５０が形成されている。フード１２の上壁１２Ａにおけるロック受け部５０の後方には、長孔状のロック孔５１が設けられている（図２参照）。
フード１２は、図１に示すように、その左右の両側壁１２Ｃ，１２Ｄが縦長となっており、両側壁１２Ｃ，１２Ｄのうち一方の側壁１２Ｃには、板状の棚部１７がフード１２内を横切って内向きに突出形成されている。棚部１７は、フード１２の側壁１２Ｃにおける上下の２位置に平行に設けられるとともに、フード１２の前端から後端にかけて奥行きをもって設けられている。
【００１３】
続いて、雌ハウジング２０について説明する。この雌ハウジング２０は、図６に示すように、雌端子金具２９（本発明の端子金具）を収容可能なキャビティ２１Ａが複数室整列された端子収容部２１と、この端子収容部２１の外周における後端寄りの位置から全周に沿って外向きに張り出し形成された鍔部２２とを備えている。鍔部２２は、雌ハウジング２０が雄ハウジング１０に嵌合されたときに、パネルＰとほぼ平行に対面するように設定されている。このとき、鍔部２２とパネルＰとの間は、グロメット２３によってシールされることとなる。
【００１４】
グロメット２３は、雌ハウジング２０の後方から鍔部２２に被せられ、この鍔部２２から端子収容部２１の後面に至る間を被覆するとともに、端子収容部２１の後面から引き出された電線２９Ａを被覆している。グロメット２３の前端寄りの位置には、図６に示すように、全周に亘って断面Ｕ字状をなす装着溝２３Ｅが設けられており、鍔部２２の外周縁を厚み方向から挟着可能としてある。鍔部２２の前面のうちグロメット２３が被る領域の内周側には、図５に示すように、後述する前面突部４０（本発明の突部）が設けられている。また、グロメット２３は、その前端開口縁にラッパ状に拡開するシール部２３Ｂを備え、このシール部２３Ｂは、雌ハウジング２０が雄ハウジング１０に嵌合されたときに、図８に示すように、鍔部２２とパネルＰとの間に前後から圧着されることでパネルＰと密着可能となっている。これにより、雌ハウジング２０のシール性が保障されるようになっている。
端子収容部２１は、図３に示すように、その外周形状において縦横の寸法を異にして形成されており、縦に長く形成される左右の長辺部２１Ｂ，２１Ｃと、横に短く形成される上下の短辺部２１Ｄ，２１Ｅとから構成され、全体として縦長の略長方形をなしている。端子収容部２１は、図３に示す左側の長辺部２１Ｃの上下の２位置が、互いに平行な切り込み部２４によって切り欠かれている。この切り込み部２４は、雄ハウジング１０と嵌合される際に、雄ハウジング１０のフード１２に設けられた棚部１７と整合してこの棚部１７を嵌め込み、もって両ハウジング１０，２０の逆挿が防止されるようにしている。
【００１５】
端子収容部２１の上側の短辺部２１Ｄにおいて幅方向の中央位置には、端子収容部２１の前端縁から立ち上がりつつ後方へ向かって延出される片持ち状のロックアーム３０が設けられている。ロックアーム３０の延出先端部は、図６に示すように、鍔２２に貫通形成された通し孔２２Ｃを抜けて端子収容部２１の後面付近に及んでおり、この通し孔２２Ｃから後方に向かって露出される部分はロックアーム３０を操作する際の操作部３２となっている。ロックアーム３０の延出方向の中央位置には、ほぼ垂直に切立った前面を有するロック部３１が突設されている。ロック部３１は、両ハウジング１０，２０の嵌合過程で雄ハウジング１０に形成されたロック受け部５０の前面に突き当てられるとともに、その突き当て状態が解除されるときの勢いで両ハウジング１０，２０の嵌合動作を一気に進行させ、その慣性力でもって両ハウジング１０，２０を正規の嵌合位置に至らせている。嵌合位置でロック部３１は、ロック受け部５０の後面に係止され、雌ハウジング２０が雄ハウジング１０に抜け止め状態でロックされるようにしている。また、上側の短辺部２１Ｄにおいてロックアーム３０を挟んでその両側位置には、図３に示すように、ロックアーム３０と短辺部２１Ｄとの間に電線等が入り込むのを阻止したり、ロックアーム３０が不用心に解除されるのを規制する規制壁３３が対向状に立設されている。
【００１６】
一方、鍔部２２は、図３に示すように、端子収容部２１の外周が縦長の略長方形となっていることに対応し、全体として縦長の略楕円形をなす板状体となっている。そして、鍔部２２の前面には、端子収容部２１の周りを環状に取り囲むとともに、端子収容部２１の長辺部２１Ｂ，２１Ｃから外向きに延出される態様の前面突部４０が設けられている。前面突部４０は、雌ハウジング２０が雄ハウジング１０に正規に嵌合した状態で、雄ハウジング１０におけるフード１２の開口縁と干渉しないように突出高さが低く設定されている。具体的には前面突部４０は、端子収容部２１の周りに環状に配される環状部４１と、この環状部４１内において鍔部２２の長辺側の領域を幅方向に横切って配される横断部４２とから構成されている。図示実施形態の横断部４２は、鍔部２２の下端位置から上端位置へ向かって、高さ寸法の概ね３分の１の高さ上昇した位置に下位横断部４２Ａが形成され、その下位横断部４２Ａから上端位置へ向かって、高さ寸法の概ね３分の１の高さ上昇した位置に上位横断部４２Ｂが形成されている。上位横断部４２Ｂと下位横断部４２Ａとは、互いに平行に且つ水平に延出されており、その一端は端子収容部２１の後端とつながり、その他端は環状部４１とつながっている。
【００１７】
また、環状部４１は、全体として略楕円形をなし、端子収容部２１との間に間隔を空けて配されており、その上端位置にてロックアーム３０を通すための通し孔２２Ｃと交わり、ここで分断されている。このように鍔部２２は、前面突部４０によって補強されることにより、成形後の熱収縮や使用時に外力を受けても、うねりや反りの発生が抑えられるようになるため、その平面性が担保されている。
【００１８】
また、鍔部２２の後面には、図４に示すように、前面側における端子収容部２１の外周と連続する内壁６０が突出形成されている。鍔部２２の後面において内壁６０の外側には、内壁６０とほぼ同じ高さ突出する後面突部４５（本発明の突部）が設けられている。後面突部４５は、内壁６０とほぼ平行に配される略Ｕ字状の外側部４６と、この外側部４６の周方向に所定間隔を置いて配されて外側部４６と内壁６０とを連結する複数の連結部４７とから構成されている。外側部４６は、鍔２２の後面において前面に配された環状部４１とほぼ同位置に配されており、鍔部２２の表裏で環状部４１と略対称位置するようになっている。また、連結部４７は、前面側に配された横断部４２に相当するものである。こうして本実施形態の場合には、後面突部４５と前面突部４０とが相俟って鍔部２２を一層強固に補強しているため、鍔部２２のうねりや反りが確実に抑えられるようになっている。
【００１９】
本実施形態は、以上のような構成であり、続いてその作用効果について説明する。まず、雄ハウジング１０のキャビティ１３内に雄端子金具１４を収容し、雌ハウジング２０のキャビティ２１Ａ内に雌端子金具２９を収容する。この状態で雌ハウジング２０にはグロメット２３を装着しておく。次いで雄ハウジング１０を内面パネルＰに取り付ける。
続いて、両ハウジング１０，２０を嵌合させる作業に移行する。図６に示すように、両ハウジング１０，２０を互いの嵌合面が正対するよう対面させ、その状態で雌ハウジング２０の端子収容部２１を雄ハウジング１０のフード１２内へ嵌入させる。雌ハウジング１０を押し込み操作すると、端子収容部２１がフード１２の中ほどまで進入したところで、ロックアーム３０に突設されたロック部３１がロック受け部４０の前面に突き当たって嵌合が一時的に規制される。さらに嵌合抵抗を上回る大きな操作力でもって雌ハウジング１０を押し込むことにより、突き当て状態を解除させる。そうすると、解放の勢いによって両ハウジング１０，２０の嵌合動作が一気に進み、雌ハウジング２０が正規の嵌合位置へ誘導される。正規の嵌合位置では、図７に示すように、ロック部３１がロック孔５１に嵌まり込むとともにロック受け部４０の後面に係止され、且つ、端子収容部２１の前面がフード１２の奥面に当て止め状態となり、もって雌ハウジング２０が雄ハウジング１０に対してロックされる。また、両ハウジング１０，２０内において互いの端子金具１４，２９の導通が取られる。そして、正規の嵌合位置では、図８に示すように、鍔部２２とパネルＰとがほぼ平行に対面するとともに、両者２２，Ｐ間でグロメット２３のシール部２３Ｂが圧着されてパネルＰに密着され、もってシール性が発揮されるようになっている。
【００２０】
本実施形態によれば、鍔部２２に端子収容部２１の周りを取り囲むようにして前後の突部４０，４５が設けられているため、鍔部２２は、この突部４０，４５により補強されて成形後の熱収縮や使用時に外力を受けても、うねりや反りの発生が抑えられる。したがって、鍔部２２は、その平面性が保たれてパネルＰとほぼ平行に対面する状態が保障されるようになる。その結果、かかる鍔部２２にグロメット２３が被着されると、グロメット２３は、パネルＰに対して確実に密着されるため、そのシール性が確保されることとなる。
【００２１】
また、前面突部４０は、鍔部２２の前面のうちグロメット２３が被る領域の内周側に配されているため、グロメット２３との干渉を回避することができる。これにより、グロメット２３は、前面突部４０に乗り上げて隙間を生じさせたりすることなく、鍔部２２に強固に被着されるようになる。
【００２２】
ところで、鍔部２２が縦横の寸法を異にして形成されている場合には、鍔部２２の長辺側の領域にうねりや反りの発生が懸念されるところであるが、本実施形態の場合には、鍔部２２の長辺側の領域を幅方向に横切って横断部４２Ｂが配されているため、こうした長辺側の領域にて懸念されるうねりや反りの発生が確実に抑えられる。
【００２３】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００２４】
（１）上記実施形態の場合には、通し孔のところで環状部が分断されているが、通し孔を避けて連続的に環状部が設けられていても構わない。また、環状部は、真円環状や角環状であっても構わない。
（２）突部は、鍔のいずれか一方面にのみ設けられていてもよい。
（３）横断部は、鍔部の長辺側の領域を幅方向に横切る態様であればよく、例えば、斜め方向に延出されていても構わない。また、上位横断部と下位横断部とに分かれている必要もない。
（４）前面突部は、横断部が無く、環状部のみで構成されていても構わない。
【図面の簡単な説明】
【図１】本発明の一実施の形態に係るコネクタにおいて雄ハウジングの正面図
【図２】同じく背面図
【図３】雌ハウジングの正面図
【図４】同じく背面図
【図５】雌ハウジングにグロメットが被着された状態を示す正面図
【図６】雌雄の両ハウジングが嵌合される前の状態を示す断面図
【図７】雌雄の両ハウジングが嵌合位置にある状態を示す断面図
【図８】同じく側面図
【図９】従来のコネクタの側面図
【符号の説明】
Ｐ…パネル
１０…雄ハウジング（待受け側コネクタハウジング）
２０…雌ハウジング（組付け側コネクタハウジング）
２１…端子収容部
２２…鍔部
２３…グロメット
２９…雌端子金具（端子金具）
４０…前面突部（突部）
４１…環状部
４２…横断部
４５…後面突部（突部）
【図１】
2004171920.tif 000003
【図２】
2004171920.tif 000004
【図３】
2004171920.tif 000005
【図４】
2004171920.tif 000006
【図５】
2004171920.tif 000007
【図６】
2004171920.tif 000008
【図７】
2004171920.tif 000009
【図８】
2004171920.tif 000010
【図９】
2004171920.tif 000011